(57)【要約】【課題】  簡易に寿命を延ばすことが可能な真空ろ過装置用のろ材を提供する。【解決手段】  懸濁液にろ材を浸漬させてその裏面側から該懸濁液を吸引することで該ろ材の表面に固形分を堆積させた後、該ろ材を該懸濁液の液面上に上げてその裏面側からその表面側に空気を吹き出すことで該堆積した固形分の剥離を容易にする真空ろ過装置用のろ材であって、前記ろ材を構成するろ布２と同材質、又は耐酸性及び耐アルカリ性の材質からなる所定のピッチを有するメッシュ４でろ布２の表面全体が覆われているか、又は前記ろ材を構成するろ布２と同材質、又は耐酸性及び耐アルカリ性の材質からなる糸が所定のピッチを有するメッシュ状パターンでろ布２全体に縫い付けられている。【選択図】      図１
2015080769.tif 000002
【特許請求の範囲】
【請求項１】
懸濁液にろ材を浸漬させてその裏面側から該懸濁液を吸引することで該ろ材の表面に固形分を堆積させた後、該ろ材を該懸濁液の液面上に上げてその裏面側からその表面側に空気を吹き出すことで該堆積した固形分の剥離を容易にする真空ろ過装置用のろ材であって、
前記ろ材を構成するろ布と同材質、又は耐酸性及び耐アルカリ性の材質からなる所定のピッチを有するメッシュでろ布の表面全体が覆われているか、又は前記ろ材を構成するろ布と同材質、又は耐酸性及び耐アルカリ性の材質からなる糸が所定のピッチを有するメッシュ状パターンでろ布全体に縫い付けられていることを特徴とする真空ろ過装置用ろ材。
【請求項２】
前記所定のピッチが５〜１００ｍｍであることを特徴とする、請求項１に記載の真空ろ過装置用ろ材。
【請求項３】
前記メッシュ又は前記糸は、前記ろ布の材質と比べて線膨張が同等以下であり、且つろ布と比べて引っ張り強度が同等以上の物性を有することを特徴とする、請求項１又は２に記載の真空ろ過装置用ろ材。
【請求項４】
前記メッシュが糸を編んで形成される場合、このメッシュを構成する糸又は前記メッシュ状パターンでろ布全体に縫い付けられる糸の直径が、０.１〜２ｍｍであることを特徴とする、請求項１〜３の何れかに記載の真空ろ過装置用ろ材。
【請求項５】
前記懸濁液は、銅の電解精製用の電解液から銅を除去して得た脱銅終液を濃縮することで得られる、析出した硫酸ニッケルを含む液であることを特徴とする、請求項１〜４の何れかに記載の真空ろ過装置用ろ材。
【請求項６】
前記耐酸性及び耐アルカリ性の材質が、ポリプロピレンであることを特徴とする、請求項１〜５の何れかに記載の真空ろ過装置用ろ材。
【発明の詳細な説明】
【技術分野】
【０００１】
本発明は、真空ろ過装置に使われるろ材に関し、特にろ布の補強により耐久性が高められたろ材に関する。
【背景技術】
【０００２】
銅の電解精製においては、電解液中に不純物として存在するニッケルや砒素などを一定濃度以下に抑えるため、これら不純物を取り除く浄液工程が一般に設けられている。この浄液工程では、例えば電解液に含まれる銅を除去して脱銅終液を得た後、この脱銅終液からニッケルを硫酸ニッケルとして回収することが行われている。
【０００３】
脱銅終液からの硫酸ニッケルの回収においては、一般に硫酸酸性の脱銅終液を加熱することにより濃縮し、脱銅終液の液量を減少させることで脱銅終液中に溶解できる硫酸ニッケルの量を減らし、これにより溶解できなくなった硫酸ニッケルを析出させている。この析出した硫酸ニッケルを含む４０〜８０℃の懸濁液をろ過することにより、硫酸ニッケルを回収することができる。
【０００４】
上記したような懸濁液のろ過には、一般的に真空ろ過装置が多く使われている。真空ろ過装置は、特許文献１に示すように、上側が開放した貯槽に、外周面をろ過面とする円筒部材をその中心軸を横にして一部が浸漬するように取り付けた装置である。この円筒部材は該中心軸を中心にして回転可能に貯槽に取り付けられており、また、内側空間を周方向に複数に区分することで、浸漬しているろ過面の内側では負圧になるように構成されている。
【０００５】
かかる構成により、貯槽に懸濁液を供給しながら円筒部材を所定の回転速度で回転させることにより、次々に浸漬するろ過面に懸濁液が吸い寄せられ、その結果、ろ過面を構成するろ布によって固液分離が行われて液体分はろ液としてろ過器の内側に吸引されると共に、ろ布を透過できない固形分はろ布の表面に堆積する。ろ過器の内側に吸引された液体分は真空ポンプに接続している配管を経てろ過器の外側に排出される。一方、ろ布の表面に堆積した固形分は、ろ過器の回転に伴って液面の上に出た後、スクレーパーによりかき取られる。
【先行技術文献】
【特許文献】
【０００６】
【特許文献１】特開２０１０−２３４３２５号公報
【発明の概要】
【発明が解決しようとする課題】
【０００７】
上記したように真空ろ過装置のろ布は浸漬する度に内側に吸引されるので破れることが多く、この場合はろ布を交換しなければならない。ろ布の交換作業自体は２時間程度で済むものの、交換前にろ過器内部やこれに連通する配管内の液体を排出して洗浄する作業に時間がかかり、さらにろ布交換後の立ち上げにも時間を要する。このため、一旦ろ布が破れると、ほぼ丸１日かけてろ布を交換する作業が必要となる。
【０００８】
この間は浄液工程を停止した状態で電解精製を行うことになるため、突発的なろ布の破れが何度も発生してろ布交換による浄液工程の停止頻度が増加すると、電解精製における電解液中の不純物濃度の上昇を招き、電解精製で得られる電気銅の不純物品位に悪影響を及ぼすおそれがあった。そのため、ろ布の耐久性を高めて寿命をできるだけ長くすることが求められていた。本発明は上記した従来の問題点に鑑みてなされたものであり、寿命の長いろ材を提供することを課題とする。
【課題を解決するための手段】
【０００９】
上記課題を解決するため、本発明に係る真空ろ過装置用のろ材は、懸濁液にろ材を浸漬させてその裏面側から該懸濁液を吸引することで該ろ材の表面に固形分を堆積させた後、該ろ材を該懸濁液の液面上に上げてその裏面側からその表面側に空気を吹き出すことで該堆積した固形分の剥離を容易にする真空ろ過装置用のろ材であって、前記ろ材を構成するろ布と同材質、又は耐酸性及び耐アルカリ性の材質からなる所定のピッチを有するメッシュでろ布の表面全体が覆われているか、又は前記ろ材を構成するろ布と同材質、又は耐酸性及び耐アルカリ性の材質からなる糸が所定のピッチを有するメッシュ状パターンでろ布全体に縫い付けられていることを特徴としている。
【発明の効果】
【００１０】
本発明によれば、真空ろ過装置のろ布を簡易に補強することができ、よってろ布の寿命を延ばすことが可能になる。
【図面の簡単な説明】
【００１１】
【図１】本発明に係るろ材及びこれを支持する真空ろ過装置のろ過器のろ板を示す部分斜視図である。
【図２】従来のろ材がろ過器の内側に向けて引っ張られたりろ過器の内側からエアーが吹き付けられたりした時の様子を模式的に示す部分断面図である。
【図３】本発明の一具体例のろ材がろ過器の内側に向けて引っ張られたりろ過器の内側からエアーが吹き付けられたりした時の様子を模式的に示す部分断面図である。
【図４】本発明のろ材を構成するメッシュの様々なパターンを示す模式図である。
【図５】本発明のろ材を構成するメッシュがろ布の表面に固定されている状態を模式的に示す部分断面図である。
【図６】本発明のろ材を構成するメッシュ状パターンで縫い付けられている糸の縫い付け方法を模式的に示す部分断面図である。
【発明を実施するための形態】
【００１２】
先ず、本発明のろ材が用いられる真空ろ過装置の一具体例について説明する。この一具体例の真空ろ過装置は、外周面をろ過面とし且つ中心軸を水平方向に向けた円筒形状のろ過器と、このろ過器の下側の一部を浸漬させるように上側が開放した貯槽とから主に構成される。このろ過器はその中心軸を中心として回転可能に貯槽に設けられており、また、ろ過器の内側空間は周方向に複数に区分されている。これにより、貯槽に供給された懸濁液に浸漬している外周面に対応する空間部分においては、真空ポンプによって負圧状態にすることができ、同時に、液面上に位置する外周面に対しては、ろ布の裏面側から表面側に向けて空気を吹き出すことでろ布に付着している固形物をろ布から剥離しやすくすることができる。
【００１３】
ろ過器の外周面はろ過面を構成しており、図１に示すように、複数の同形状の矩形のろ板１が周方向に並んで取り付けられた構造になっている。各ろ板１は格子状になっており、この格子を構成する縦横の棒状部分でろ布２の裏面側を支持するようになっている。これにより、ろ布２を透過した液体分は格子の開口部分を通ってろ過器の内側に集められる。ろ布２の表面には更にろ布がずれたり浮き上がったりしないように、ろ過器の軸方向に延在する複数の押さえ棒３でろ布２が保持されている。
【００１４】
上記したように、従来、真空ろ過装置のろ過器に張られているろ布には、図２（ａ）に示すように負圧によってろ過器の内側に引き付けられる力Ｆ１と、図２（ｂ）に示すようにエアーによってろ過器から離間させられる力Ｆ２とがろ過器の回転に伴って繰り返し働くため、使用しているうちにろ布の強度が低下する傾向にあった。特に、上記した格子状のろ板１の縦横の棒状部分の縁部との当接箇所Ａにおいて頻繁に破れることがあった。
【００１５】
そこで、ろ布２と同材質、又は耐酸性及び耐アルカリ性の材質で作られたメッシュ４でろ布２の表面全体を覆うか、あるいは、ろ布２と同材質、又は耐酸性及び耐アルカリ性の材質で作られた糸をメッシュ状のパターンでろ布２全体に縫い付けることにした。これにより、図３（ａ）に示すように負圧によってろ過器の内側に引き付けられる力Ｆ１が働く時や、図３（ｂ）に示すようにエアーによってろ過器から離間させられる力Ｆ２が働く時であってもろ布２の厚み方向の変形を抑えることが可能になる。よって、容易に真空ろ過装置のろ布２の耐久性を高めて寿命を延ばすことができる。なお、図１にはメッシュ４でろ布２の覆った場合の例が示されている。
【００１６】
ろ布をメッシュで覆う場合やメッシュ状に糸を縫い付ける場合、当該メッシュ又はメッシュ状のパターンとしては、ろ布全体を均一な力で押えることができるのであれば特に限定はなく、例えば図４（ａ）〜（ｃ）に示すように、正方形、菱形、正六角形などのパターン形状を採用することができる。メッシュでろ布の表面を覆う場合は、例えば図５（ａ）に示すように、熱によってメッシュ４の全体に亘って片側をろ布２に接着してもよいし、あるいは図５（ｂ）に示すように、メッシュ４をろ布２と同材質又は耐酸性或いは耐アルカリ性の材質で作られた縫い付け用糸５によって、かがり縫い等の縫い方でろ布２に縫い付けてもよい。メッシュ４は糸を編むことで作製してもよいし、一体成形により作製してもよい。
【００１７】
一方、ろ布と同材質又は耐酸性及び耐アルカリ性の材質で作られた糸を使用してメッシュ状のパターンでろ布全体を縫い付ける場合は、例えば図６（ａ）に示すように、縫い付け用糸６ａを刺し縫いでろ布２に縫い込んでメッシュ状パターンを形成してもよいし、図６（ｂ）に示すように縫い付け用糸６ｂを返し縫いでろ布２に縫い込んでメッシュ状パターンを形成してもよい。
【００１８】
ところで、前述したように、ろ布を裏面から支持するろ板は、一般に、ピッチが５〜１５ｍｍの正方形の格子状（内側の寸法で４〜１３ｍｍ）を有しているか、又はピッチが５〜１５ｍｍ×３０〜１００ｍｍの長方形の格子状（内側の寸法で２８〜９８ｍｍ）を有している。従って、ろ板の上に張られたろ布を均一に抑えるためには、当該ろ板の格子のピッチとメッシュ又はメッシュ状に縫い付ける糸のピッチとを一致させると共に、ろ板の格子の少なくとも縦棒若しくは横棒の真上にメッシュ又はメッシュ状に縫い付ける糸の縦方向延在部分若しくは横方向延在部分が位置するようにメッシュを取り付けたりメッシュ状に糸を縫いつけたりするのが好ましい。即ち、メッシュ又はメッシュ状に縫い付ける糸のピッチは５〜１００ｍｍとすることが好ましい。
【００１９】
これらピッチが５ｍｍ未満の場合、ろ板のピッチよりも小さいため、メッシュ又はメッシュ状の糸でろ布を均一に押えることが難しくなる。一方、メッシュ又はメッシュ状の糸のピッチが１００ｍｍを超える場合、ピッチが大き過ぎるために、ろ布がろ過器の内側に引っ張られたり、ろ過器から離間する方向に押し出されたりすることを抑える効果が小さくなる。なお、図１にはメッシュ４の横方向のピッチをろ板１の格子の横方向のピッチと一致させ且つろ板１の格子の縦棒の真上にメッシュ４の縦方向延在部分が位置しており、メッシュ４の縦方向のピッチをろ板１の格子の縦方向のピッチの半分にし且つろ板１の格子の横棒の真上にメッシュ４の横方向延在部分が１本おきに位置している例が示されている。
【００２０】
ろ布を覆うメッシュ及びろ布にメッシュ状に縫い込む糸の材質は、ろ布と同じ材質にするか、又は耐酸性及び耐アルカリ性材質とする。耐酸性及び耐アルカリ性材質の場合は、ポリプロピレンが好ましい。また、メッシュでろ布を覆う場合又はメッシュ状に糸を縫い付ける場合は、ろ布全体を均一な力で押えるのが好ましいため、これらメッシュ又は糸の材質は、ろ布の材質に比べて線膨張が同等以下であり、且つ引っ張り強度が同等以上の物性であることが好ましい。
【００２１】
これらメッシュ又は糸の材質の線膨張がろ布の材質の線膨張よりも大きい場合、ろ布とメッシュ又はろ布と糸からなるろ材が加熱された時にメッシュや糸の方がろ布よりも大きく膨張するため、メッシュや糸がろ布全体を均一な力で押える効果が減少する。一方、メッシュや糸の材質の引っ張り強度が、ろ布の材質の引っ張り強度よりも小さい場合、加えられた力によりろ布よりも伸びやすいため、メッシュや糸のほうがろ布よりも大きく伸びてしまい、メッシュや糸がろ布を均一な力で押える効果が減少する。従って、例えばろ布の材質がポリプロピレンの場合、メッシュや糸の材質はポリプロピレン又はアクリルを使うことが好ましい。
【００２２】
ろ布を覆うメッシュが糸を編んで形成される場合の糸の直径やろ布にメッシュ状に縫い込む場合の糸の直径は特に限定がないが、これら糸の直径が大きいと強度が高くなるため、特にろ板の縁部に当接する箇所を含め、ろ布全体を均一な力で押えることができる。しかし、あまり直径が大きすぎるとろ布の有効ろ過面積を減少させてしまう。一方、これら糸の直径が細い場合、ろ布の有効ろ過面積への影響は小さい。しかし、細すぎると強度が小さくなるため、ろ布全体を均一な力で押えることが難しくなる。従って、これら糸の直径は０.１〜２ｍｍであることが好ましい。これらの直径が０.１ｍｍ未満の場合、強度が小さいため、ろ布全体を均一な力でおさえることが難しくなる。一方、直径が２ｍｍよりも大きい場合、ろ布の有効ろ過面積が大きく減少してしまう。
【００２３】
上記したろ材を用いたろ過器を真空ろ過装置に用いることにより、簡易にろ布の耐久性を高めてろ布の寿命を延ばすことができる。特に、銅の電解精製用の電解液から銅を除去して得た脱銅終液を濃縮することで得られる、析出した硫酸ニッケルを含む液温４０〜８０℃の懸濁液からの硫酸ニッケルの回収に使用する時に、寿命を延ばす効果が顕著に表れる。
【実施例】
【００２４】
（実施例１）
脱銅終液を濃縮して析出させた硫酸ニッケルを含む懸濁液から真空ろ過装置を用いて硫酸ニッケルを回収した。この真空ろ過装置が有する円筒形のろ過器の外周面には、ピッチが５ｍｍ×１００ｍｍの長方形の格子で構成される複数の矩形のろ板を周方向に並べて取り付けた。これらろ板の上面にポリプロピレン製のろ布を張った。このろ布には、表面全体にポリプロピレン製の直径０.１ｍｍの糸で編まれたピッチが５ｍｍ×５ｍｍの正方形の格子状のメッシュで覆ったものを用いた。なお、このメッシュはポリプロピレン製の直径０.１ｍｍの糸によって所々ろ布に縫い付けておいた。このメッシュが縫い付けられたろ布が張られた真空ろ過装置を使用してろ過を行なった。
【００２５】
固形分をろ布の表面に堆積させるため、当該ろ布とメッシュとからなるろ材が浸漬する部分では内側から３５０ｍｍＨｇで真空吸引した。また、固形分をろ布から剥離しやすくするため、ろ材が液面上に位置した時にろ布の裏面側から表面側に向けて１５０Ｌ／ｍｉｎでエアブローした。上述の条件でろ過器を０.３ｒｐｍで回転させながら懸濁液のろ過を行った。その結果、操業期間中にろ過性能に低下は見られなかった。また、ろ布を新しく張り替えてからのろ布において、ろ板の縁部との当接箇所の破断までは５９日となった。
【００２６】
比較例として、ろ布の表面をメッシュで覆わなかったこと以外は上記方法と同様にして懸濁液のろ過を行った。その結果、操業期間中にろ過性能に低下は見られなかったが、ろ布を新しく張り替えてからのろ布において、ろ板の縁部との当接箇所の破断までは４０日となった。このように、ろ布をメッシュで補強することにより、補強しない場合に比べてろ布の寿命を約１.５倍延ばすことができた。
【００２７】
（実施例２）
ろ布の表面を、直径２.０ｍｍのポリプロピレン製の糸で編まれたピッチが１００ｍｍ×１００ｍｍの正方形の格子状のメッシュで覆い、更にポリプロピレン製の直径２.０ｍｍの糸によって該メッシュを所々ろ布に縫い付けたことを以外は上記実施例１と同様にして懸濁液のろ過を行った。
【００２８】
その結果、操業期間中にろ過性能に低下は見られなかった。また、ろ布を新しく張り替えてからのろ布において、ろ板の縁部との当接箇所の破断までは６２日となり、ろ布の寿命は上記実施例１の比較例のろ布に比べて約１.５倍延びた。
【００２９】
（実施例３）
ろ布全体に縫い込んだ糸でピッチ５ｍｍ×５ｍｍの正方形の格子状のパターンが形成されるように、ポリプロピレン製の直径０.１ｍｍの糸を用いて本返し縫いで縦方向に５ｍｍのピッチで縫い込み、次に横方向に５ｍｍのピッチで縫い込んだ。このようにろ布をメッシュで覆うことに代えてメッシュ状に縫い付けたろ布を用いたことを除いて上記実施例１と同様にして懸濁液のろ過を行った。
【００３０】
その結果、操業期間中にろ過性能に低下は見られなかった。また、ろ布を新しく張り替えてからのろ布において、ろ板の縁部との当接箇所の破断までは５７日となり、ろ布の寿命は上記実施例１の比較例のろ布に比べて約１.５倍延びた。
【００３１】
（実施例４）
ろ布全体に縫い込んだ糸でピッチ１００ｍｍ×１００ｍｍの正方形の格子状のパターンが形成されるように、ポリプロピレン製の直径２.０ｍｍの糸を用いて本返し縫いで縦方向に１００ｍｍのピッチで縫い込み、次に横方向に１００ｍｍのピッチで縫い込んだ。このように、ろ布をメッシュで覆うことに代えてメッシュ状に縫い付けたろ布を用いたことを除いて上記実施例１と同様にして懸濁液のろ過を行った。
【００３２】
その結果、操業期間中にろ過性能に低下は見られなかった。また、ろ布を新しく張り替えてからのろ布において、ろ板の縁部との当接箇所の破断までは５５日となり、ろ布の寿命は上記実施例１の比較例のろ布に比べて約１.５倍延びた。
【符号の説明】
【００３３】
１    ろ板
２    ろ布
３    押さえ棒
４    メッシュ
５    縫い付け用糸
６ａ、６ｂ    縫い付け用糸
【図１】
2015080769.tif 000003
【図２】
2015080769.tif 000004
【図３】
2015080769.tif 000005
【図４】
2015080769.tif 000006
【図５】
2015080769.tif 000007
【図６】
2015080769.tif 000008